(57)【要約】【課題】構成及び判定手段が簡潔であり、容易に自動車に備えることができる運転状態判定装置を提供する。【解決手段】自動車１の進行方向に対して左右の回転速度情報である左右の角速度を取得する角速度センサーと、自動車１の速度情報を取得する速度装置と、速度装置によって取得した速度情報である自動車１の速度から自動車１が移動状態又は停止状態であるかを判定する第１判定部と、第１判定部によって自動車１が移動状態と判定した際、角速度センサーによって取得した回転速度情報から自動車１が直進状態又は右左折状態であるかを判定する第２判定部と、自動車１の直進状態及び右左折状態の夫々に対応して、速度又は加速度の閾値、及び左右の角速度の閾値を有しており、自動車１の速度又は加速度が閾値を超えると、又は自動車１の左右の角速度が閾値を超えると、危険運転であると判定する第３判定部とを備えている。【選択図】図１
2014021783.tif 000002
【特許請求の範囲】
【請求項１】
自動車の運転状態を判定する運転状態判定装置であって、
前記自動車の進行方向に対して左右の回転速度情報である角速度を取得する角速度センサーと、
前記自動車の速度情報を取得する速度装置と、
前記速度装置によって取得した速度情報である前記自動車の速度から前記自動車が移動状態又は停止状態であるかを判定する第１判定部と、
前記第１判定部によって前記自動車が移動状態と判定した際、前記角速度センサーによって取得した回転速度情報から前記自動車が直進状態又は右左折状態であるかを判定する第２判定部と、
前記自動車の直進状態及び右左折状態の夫々に対応して、速度又は加速度の閾値、及び左右の角速度の閾値を有しており、前記速度装置によって取得した速度情報である前記自動車の速度又は加速度が前記速度又は加速度の閾値を超えると、又は前記角速度センサーによって取得した回転速度情報である前記自動車の左右の角速度が前記左右の角速度の閾値を超えると、危険運転であると判定する第３判定部とを備えていることを特徴とする運転状態判定装置。
【請求項２】
前記速度装置は、前記自動車の位置情報を取得するＧＰＳ受信器と、
このＧＰＳ受信器によって取得した位置情報から前記自動車の速度、又は加速度を演算して前記速度情報とする演算装置とを有していることを特徴とする請求項１記載の運転状態判定装置。
【請求項３】
前記自動車の進行方向の加速度を取得する加速度センサーを備えており、
前記第３判定部は前記加速度センサーによって取得した加速度が前記加速度の閾値を超えると危険運転であると判定することを特徴とする請求項１又は２記載の運転状態判定装置。
【請求項４】
前記速度、加速度、又は左右の角速度の閾値は、前記角速度センサー及び前記速度装置によって、設定期間の間に取得した各情報を利用して更新することを特徴とする請求項１乃至３のいずれか１項記載の運転状態判定装置。
【請求項５】
自動車内に着脱固定することができ、かつ持ち運びすることができ、ＧＰＳ受信器、及び角速度センサーを有している携帯型装置であることを特徴とする請求項２乃至４のいずれか１項記載の運転状態判定装置。
【請求項６】
自動車内に着脱固定することができ、かつ持ち運びすることができ、ＧＰＳ受信器、角速度センサー、及び加速度センサーを有している携帯型装置であることを特徴とする請求項３又は４記載の運転状態判定装置。
【請求項７】
前記携帯型装置は多機能型携帯電話であることを特徴とする請求項５又は６記載の運転状態判定装置。
【請求項８】
前記第３判定部の出力に応じた信号を発信する発信部を備えた請求項１乃至７のいずれか１項記載の運転状態判定装置と、
前記発信部の発信信号を受信する受信部、芳香液を貯留する貯留部、及び受信部が受信した信号に応じて運転者に向けて貯留部に貯留した芳香液を噴霧するノズルを有しており、前記自動車内に固定することができる噴霧装置とを備えていることを特徴とする運転支援装置。
【請求項９】
前記噴霧装置は、複数種類の芳香液を貯留することができる貯留部を有しており、この貯留部に貯留した複数種類の芳香液を切り替えて前記ノズルから噴霧することを特徴とする請求項８記載の運転支援装置。
【請求項１０】
前記噴霧装置は、断続的に前記ノズルから芳香液を噴霧することを特徴とする請求項８又は９記載の運転支援装置。
【発明の詳細な説明】
【技術分野】
【０００１】
本発明は運転状態判定装置及びそれを備えた運転支援装置に関する。
【背景技術】
【０００２】
特許文献１は従来の運転状態判定装置及びそれを備えた運転支援装置を開示している。この運転状態判定装置は、運転者情報検出器と、車両・運転環境情報検出器と、運転者状態判定手段とを備えている。運転者情報検出器は、ドライバの頭部を顔面側から撮影するカメラ、このカメラで撮影した画像からドライバの目の閉眼時間を検出する閉眼検出器、このカメラで撮影した画像から頭部加速度を頭部動揺量として検出する加速度検出器、及びシート尻下部の上下加速度を検出する加速度センサーを有している。車両・運転環境情報検出器は、車速、車両加速度、車両角加速度等の少なくとも１つを検出することができる。
【０００３】
この運転状態判定装置は、先ず、車両・運転環境情報検出器によって取得した車両・運転環境情報（市街地道路、自動車専用道路、山岳道路）に応じて、運転者情報の判定閾値を定める。そして、この運転状態判定装置を備えた自動車を運転して走行させた際に、運転者情報検出器から取得したデータが運転情報判定手段によって判定閾値と照合され、運転者の状態（集中状態、漫然状態、眠気葛藤状態、居眠り状態）を判定することができる。また、この運転状態判定装置を備えた運転支援装置は、運転状態判定装置で判定した運転者の状態に応じて、香りや危険警報を提示することができる。
【先行技術文献】
【特許文献】
【０００４】
【特許文献１】特開２００７−２６５３７７号公報
【発明の概要】
【発明が解決しようとする課題】
【０００５】
しかし、特許文献１の運転状態判定装置は、運転者情報検出器、及び車両・運転環境情報検出器の夫々を備え、夫々の検出器の複数のセンサーから得た多種類のデータに基づいて運転者の状態を判定する。このため、運転状態判定装置の構成及び判定手段が複雑になっている。また、運転者情報検出器のカメラは、ドライバの頭部を顔面側から撮影することができ、かつ運転に支障のない場所に設置しなければならず、その設置場所は限定され、かつ設置に手間を要する。
【０００６】
本発明は、上記従来の実情に鑑みてなされたものであって、構成及び判定手段が簡潔であり、容易に自動車に備えることができる運転状態判定装置及びそれを備えた運転支援装置を提供することを解決すべき課題としている。
【課題を解決するための手段】
【０００７】
本発明の運転状態判定装置は、自動車の運転状態を判定する運転状態判定装置であって、
前記自動車の進行方向に対して左右の回転速度情報である左右の角速度を取得する角速度センサーと、
前記自動車の速度情報を取得する速度装置と、
前記速度装置によって取得した速度情報である前記自動車の速度から前記自動車が移動状態又は停止状態であるかを判定する第１判定部と、
前記第１判定部によって前記自動車が移動状態と判定した際、前記角速度センサーによって取得した回転速度情報から前記自動車が直進状態又は右左折状態であるかを判定する第２判定部と、
前記自動車の直進状態及び右左折状態の夫々に対応して、速度又は加速度の閾値、及び左右の角速度の閾値を有しており、前記速度装置によって取得した速度情報である前記自動車の速度又は加速度が前記速度又は加速度の閾値を超えると、又は前記角速度センサーによって取得した回転速度情報である前記自動車の左右の角速度が前記左右の角速度の閾値を超えると、危険運転であると判定する第３判定部とを備えていることを特徴とする。
【０００８】
この運転状態判定装置は、回転速度情報及び速度情報で運転状態を判定することができる。つまり、この運転状態判定装置は、第１判定部で速度情報を利用して第１判定部で移動状態又は停止状態であるかを判定する。そして、第２判定部で、回転速度情報を利用して直進状態又は右左折状態であるかを判定する。その後に第３判定部で速度情報又は回転速度情報を閾値と比較し危険運転であるか否かを判定する。このように、この運転状態判定装置は、構成及び判定手段を簡潔にすることができる。また、回転速度情報を取得する角速度センサー及び速度情報を取得する速度装置は設置場所の自由度が高い。このため、この運転状態判定装置は自動車に容易に設置することができる。また、速度情報等は自動車が本来備えているセンサーを利用して取得することもできる。
【０００９】
したがって、本発明の運転状態判定装置は、構成及び判定手段が簡潔であり、容易に自動車に備えることができる。
【００１０】
また、本発明の運転支援装置は、前記第３判定部の出力に応じた信号を発信する発信部を備えた前記運転状態判定装置と、
前記発信部の発信信号を受信する受信部、芳香液を貯留する貯留部、及び受信部が受信した信号に応じて運転者に向けて貯留部に貯留した芳香液を噴霧するノズルを有しており、前記自動車内に固定することができる噴霧装置とを備えていることを特徴とする。
【００１１】
この運転支援装置は、運転状態判定装置で危険運転と判定された際、芳香液を運転者に向けて噴霧し、その香りによって、運転者の覚醒又は疲労回復を図ることができる。また、噴霧装置は簡易な構成でよく、自動車に容易に設置することができる。
【００１２】
したがって、本発明の運転支援装置も、構成及び判定手段が簡潔であり、容易に自動車に備えることができる。
【図面の簡単な説明】
【００１３】
【図１】実施例の運転状態判定装置を備えた運転支援装置を自動車内に取付けた状態を示す概略図である。
【図２】直進・急ブレーキ・急発進時の速度及び角速度を示すグラフである。
【図３】（Ａ）右折時、（Ｂ）急右折時の速度及び角速度を示すグラフである。
【図４】（Ａ）左折時、（Ｂ）急左折時の速度及び角速度を示すグラフである。
【図５】自動車を任意に走行させた際の速度及び角速度を示すグラフである。
【図６】直進時の加速度及び角速度を示すグラフである。
【図７】右折時の加速度及び角速度を示すグラフである。
【図８】急右折時の加速度及び角速度を示すグラフである。
【図９】左折時の加速度及び角速度を示すグラフである。
【図１０】ふらつき時の加速度及び角速度を示すグラフである。
【図１１】運転状態判定装置の判定手順を示すフローチャートである。
【図１２】停止、直進、右左折状態の判定結果を示すグラフである。
【図１３】速度及び角速度を利用して安全運転又は危険運転の判定結果を示すグラフである。
【図１４】加速度及び角速度を利用して安全運転又は危険運転の判定結果を示すグラフである。
【発明を実施するための形態】
【００１４】
本発明における好ましい実施の形態を説明する。
【００１５】
本発明の運転状態判定装置において、前記速度装置は、前記自動車の位置情報を取得するＧＰＳ受信器と、このＧＰＳ受信器によって取得した位置情報から前記自動車の速度、又は加速度を演算して前記速度情報とする演算装置とを有し得る。この場合、速度装置はＧＰＳ受信器によって取得した位置情報から自動車の速度又は加速度を演算する。このため、自動車の速度又は加速度を間接的に取得することになるが、精度よく取得することができる。また、自動車の速度、又は加速度を自動車が本来備えているセンサーを利用せずに取得することができるため、運転状態判定装置を自動車とは独立して構成し、後付けすることができる。
【００１６】
本発明の運転状態判定装置は、前記自動車の進行方向の加速度を取得する加速度センサーを備えており、前記第３判定部は前記加速度センサーによって取得した加速度が前記加速度の閾値を超えると危険運転であると判定し得る。この場合、トンネル内等のＧＰＳ受信器が位置情報を取得することができない状況において加速度センサーが取得した加速度によって危険運転か否かを判定することができる。
【００１７】
本発明の運転状態判定装置において、前記速度、加速度、又は左右の角速度の閾値は、前記角速度センサー及び前記速度装置によって、設定期間の間に取得した各情報を利用して更新し得る。この場合、閾値を自動車を運転する運転者の運転技術の経年変化に応じて設定することができる。つまり、運転者の運転技術の習熟度等によって閾値を変更することができる。
【００１８】
本発明の運転状態判定装置は、自動車内に着脱固定することができ、かつ持ち運びすることができ、ＧＰＳ受信器、及び角速度センサーを有している携帯型装置であり得る。また、本発明の運転状態判定装置は、自動車内に着脱固定することができ、かつ持ち運びすることができ、ＧＰＳ受信器、角速度センサー、及び加速度センサーを有している携帯型装置であり得る。この場合、運転者の夫々が独自の閾値を有した運転状態判定装置を携帯することができる。また、特定の自動車に限らず、運転状態判定装置を携帯した運転者が運転する自動車に設置して運転状態を判定することができる。
【００１９】
前記携帯型装置は多機能型携帯電話であり得る。この場合、多機能型携帯電話のＧＰＳ受信器、角速度センサー、及び加速度センサーを利用し、かつ多機能型携帯電話に第１判定部〜第３判定部を実行するアプリケーション・プログラムをインストールすることによって、運転状態判定装置を容易に構成することができる。
【００２０】
本発明の運転支援装置において、前記噴霧装置は、複数種類の芳香液を貯留することができる貯留部を有しており、この貯留部に貯留した複数種類の芳香液を切り替えて前記ノズルから噴霧し得る。この場合、芳香液の香りの違いによって、運転者の覚醒又は疲労回復を図ることができる。また、複数種類の芳香液を噴霧することによって、運転者の覚醒又は疲労回復の度合いを調整することができる。
【００２１】
前記噴霧装置は、断続的に前記ノズルから芳香液を噴霧し得る。この場合、断続的に芳香液を噴霧することによって、運転者の覚醒又は疲労回復を良好に行うことができる。
【００２２】
次に、本発明の運転状態判定装置を備えた運転支援装置を具体化した実施例について、図面を参照しつつ説明する。
【００２３】
＜実施例＞
実施例の運転状態判定装置を備えた運転支援装置は、図１に示すように、自動車１内に設けた図示しないホルダーに取付けることができる多機能型携帯電話、いわゆるスマートフォン１０と、自動車１内に取付けた噴霧装置２０とを備えている。
【００２４】
このスマートフォン１０は、ＧＰＳ受信器、角速度センサー、加速度センサー、及びブルートゥース（Ｂｌｕｅｔｏｏｔｈ：登録商標）による無線通信機能を有している。また、このスマートフォン１０は、ＧＰＳ受信器、角速度センサー、及び加速度センサーによって取得したデータから運転状態判定を実行するアプリケーション・プログラムをインストールしている。つまり、スマートフォン１０の機能を利用して運転状態判定装置が構成されている。このスマートフォン１０は自動車１内に設けたホルダーに着脱固定することができ、かつ持ち運びすることができる。
【００２５】
ＧＰＳ受信器は、自動車１の位置情報を取得することができる。アプリケーション・プログラムはＧＰＳ受信器によって取得した位置情報から自動車１の速度を演算する演算部を有している。このように、スマートフォン１０はＧＰＳ受信器とアプリケーション・プログラムの一部の演算部（演算装置）とによって自動車１の速度（速度情報）を取得する速度装置を構成している。
【００２６】
角速度センサーは自動車１の進行方向に対して左右の回転速度情報である左右の角速度を取得することができる。加速度センサーは、３次元加速度計であり、自動車１の進行方向の加速度、及び左右方向の加速度を取得することができる。すなわち、左右方向の加速度は自動車１の加速度の進行方向に直交する方向の分力としての加速度である。スマートフォン１０は無線通信機能を利用して後述する噴霧装置２０に信号を発信する発信部を有している。
【００２７】
アプリケーション・プログラムは、第１判定部、第２判定部、及び第３判定部の演算を実行する。第１判定部はＧＰＳ受信器によって取得した位置情報から得た自動車１の速度から自動車１が移動状態又は停止状態であるかを判定する。第２判定部は角速度センサーによって取得した左右の角速度（回転速度情報）から自動車１が直進状態又は右左折状態であるかを判定する。第３判定部は、速度又は加速度の閾値、及び左右の角速度の閾値を有しており、ＧＰＳ受信器によって取得した位置情報から得た自動車１の速度又は加速度センサーによって取得した自動車１の加速度が、速度又は加速度の閾値を超えると、又は角速度センサーによって取得した自動車１の左右の角速度が、左右の角速度の閾値を超えると、危険運転であると判定する。危険運転であると判定すると、スマートフォン１０の発信部から後述する噴霧装置２０に信号を発信する。
【００２８】
噴霧装置２０は、制御部２１、別々の芳香を有する２種類の芳香液を別々に貯留する２つ貯留部２２Ａ、２２Ｂ、運転者に向けて芳香液を噴霧するノズル２３、２つの貯留部２２Ａ、２２Ｂから延び、途中の合流点で合流してノズル２３へ連通する芳香液の流路２４、流路２４の合流点に設けた切替弁２５、及び芳香液を貯留部２２Ａ、２２Ｂから流路２４を介してノズル２３から噴霧するために圧縮空気を貯留部２２Ａ，２２Ｂに送るエア−コンプレッサー２６を備えている。噴霧装置２０は自動車１内に固定することができる。
【００２９】
制御部２１は受信部を有している。受信部はスマートフォン１０の発信部から発信された信号を受信する。制御部２１は、受信部が受信した信号に基づいて、ノズル２３から噴霧する芳香液を切り替えたり（例えば、２．５分、５分毎に切り替える）、断続的（例えば、１５秒、３０秒、６０秒間隔）にノズル２３から芳香液を噴霧したりするように切替弁２５及びエアーコンプレッサー２６を駆動する。２つの貯留部２２Ａ、２２Ｂには、ペパーミントの香り、イランイランの香り、ローズマリーの香り、レモンの香り、ユーカリの香り、ラベンダーの香り等を有する複数の芳香液から、適宜、選択して貯留する。
【００３０】
次に、このような運転状態判定装置として機能するスマートフォン１０を自動車１内に取付け、自動車１を走行させた際、ＧＰＳ受信器によって取得した位置情報から得た自動車１の速度Ｓ、及び角速度センサーによって取得した左右の角速度Ａの変化を自動車１の挙動と共に説明する。
【００３１】
自動車１が直進、急ブレーキ、急発進する際、図２のグラフに示すように、自動車１の速度Ｓ及び左右の角速度Ａが変化する。自動車１は、矢視ア付近では直進しており、矢視イで急ブレーキがかかり、矢視ウ付近では停止し、矢視エで急発進している。これらの結果に基づいて、式（１）を満たした場合、自動車１が停止状態であると判定する。また、式（２）及び式（３）を満たした場合、自動車１が直進状態であると判定する。
【００３２】
【数１】
2014021783.tif 000003
2014021783.tif 000004
2014021783.tif 000005
【００３３】
また、自動車１が右左折する際、図３及び図４のグラフに示すように、自動車１の速度Ｓ及び左右の角速度Ａが変化する。図３（Ａ）は右折時の変化を示しており、矢視ア付近の左右の角速度Ａの傾きが小さく、矢視イ付近の自動車１の速度Ｓの傾きが小さい。図３（Ｂ）は急右折時の変化を示しており、矢視ウ付近の左右の角速度Ａの傾きが大きく、矢視エ付近の自動車１の速度Ｓの傾きが大きい。図４（Ａ）は左折時の変化を示しており、矢視ア付近の左右の角速度Ａの傾きが小さく、矢視イ付近の自動車１の速度Ｓが減少する。図４（Ｂ）は急左折時の変化を示しており、矢視ウ付近の左右の角速度Ａの傾きが大きく、矢視エ付近の自動車１の速度Ｓの変化が少ない。これらの結果に基づいて、式（４）及び式（５）を満たした場合、自動車１が右左折中であると判定する。
【００３４】
【数２】
2014021783.tif 000006
2014021783.tif 000007
【００３５】
図５は、自動車１を任意に走行させた際、ＧＰＳ受信器によって取得した位置情報から得た自動車１の速度Ｓ、及び角速度センサーによって取得した左右の角速度Ａの変化を示している。この図において、矢視ア及びオの付近は急ブレーキをかけた際の自動車１の速度Ｓの変化を示し、矢視イ及びカ付近は急発進した際の自動車１の速度Ｓの変化を示し、矢視ウ及びエは急カーブの際の左右の角速度Ａの変化を示す。
【００３６】
次に、運転状態判定装置として機能するスマートフォン１０を自動車１内に取付け、自動車１を走行させた際、自動車１の挙動に応じて、加速度センサーによって取得した進行方向の加速度Ｓ’、左右の加速度Ｂ、及び角速度センサーによって取得した左右の角速度Ａの変化を図６〜図１０に示す。
【００３７】
図６は直進状態、図７は右折状態、図８は急右折状態、図９は左折状態、図１０はふらつき状態を示す。これら状態において、左右の加速度Ｂの変化は左右の角速度Ａの変化に似た傾向を示している。
【００３８】
自動車１の直進状態及び右左折状態の夫々に対応した速度、加速度、及び左右の角速度の夫々の閾値は、あらかじめ、模範運転の値を設定しておくことができる。また、これら夫々の閾値は、運転状態判定装置として機能するスマートフォン１０を自動車１内に取付け、自動車１を走行させることによって決定することもできる。つまり、これら閾値は、自動車１を設定期間の間、走行させ、その際に取得した速度、加速度、左右の角速度に対して、所定の処理を行い決定することができる。各閾値を決定する処理もスマートフォン１０にインストールしたアプリケーションによって自動的に実行される。このため、これら閾値は自動車１の走行時間の経過と共に自動的に更新される。よって、閾値を自動車１を運転する運転者の運転技術の経年変化に応じて設定することができる。つまり、運転者の運転技術の習熟度や年齢等によって閾値を変更することができる。
【００３９】
次に、運転状態判定装置を備えた運転支援装置の動作を図１１を参照して説明する。
【００４０】
自動車１内に設けた図示しないホルダーにスマートフォン１０を取付け、アプリケーション・プログラムを実行する。すると、運転状態判定装置は、ＧＰＳ受信器によって取得した位置情報から得た自動車１の速度、角速度センサーによって取得した左右の角速度、及び加速度センサーによって取得した自動車１の進行方向の加速度の取得を開始する（ステップＳ１）。
【００４１】
次に、第１判定部に移行し、ＧＰＳ受信器によって取得した位置情報から得た自動車１の速度が“０”であるか否かを判定する（ステップＳ２）。
【００４２】
自動車１の速度が“０”であると判定した場合（ステップＳ２でＹｅｓ）、ステップＳ１３に移行し、自動車１が停止状態であると判定する。一方、自動車１の速度が“０”でないと判定した場合（ステップＳ２でＮｏ）、ステップＳ３に移行し、自動車１は移動状態であると判定する。
【００４３】
自動車１が移動状態と判定されると、第２判定部であるステップＳ４に移行し、角速度センサーによって取得した左右の角速度が０．１（ｒａｄ／ｓ）よりも小さいか否かを判定する。
【００４４】
左右の角速度が０．１（ｒａｄ／ｓ）未満であると判定した場合（ステップＳ４でＹｅｓ）、ステップＳ５に移行し、自動車１が直進状態であると判定する。一方、左右の角速度が０．１（ｒａｄ／ｓ）以上であると判定した場合（ステップＳ４でＮｏ）、ステップＳ９に移行し、自動車１が右左折状態であると判定する。
【００４５】
図１２は、自動車１の走行時におけるＧＰＳ受信器によって取得した位置情報から得た自動車１の速度Ｓの変化と、角速度センサーによって取得した左右の角速度Ａの変化と、上述した第１判定部、及び第２判定部で自動車１が停止状態、直進状態、右左折状態であるかを判定した結果とを重ねたグラフである。
【００４６】
自動車１が直進状態であると判定されると（ステップＳ５）、第３判定部であるステップＳ６に移行し、ＧＰＳ受信器によって取得した位置情報から得た自動車１の速度が直進状態における速度の閾値１より大きいか否か、又は角速度センサーによって取得した左右の角速度が直進状態における左右の角速度の閾値１より大きいか否かを判定する。
【００４７】
速度及び左右の角速度のどちらも夫々の閾値１未満であると判定した場合（ステップＳ６でＮｏ）、ステップＳ７に移行し、安全運転であると判定する。速度、又は左右の角速度の少なくともいずれか一方が夫々の閾値１以上であると判定した場合（ステップＳ６でＹｅｓ）、ステップＳ８に移行し、危険運転であると判定する。
【００４８】
また、自動車１が右左折状態であると判定されると（ステップＳ９）、第３判定部であるステップＳ１０に移行し、ＧＰＳ受信器によって取得した位置情報から得た自動車１の速度が右左折状態における速度の閾値２より大きいか否か、又は角速度センサーによって取得した左右の角速度が右左折状態における左右の角速度の閾値２より大きいか否かを判定する。
【００４９】
速度及び左右の角速度のどちらも夫々の閾値２未満であると判定した場合（ステップＳ１０でＮｏ）、ステップＳ１１に移行し、安全運転であると判定する。速度、又は左右の角速度の少なくともいずれか一方が夫々の閾値２以上であると判定した場合（ステップＳ１０でＹｅｓ）、ステップＳ１２に移行し、危険運転であると判定する。
【００５０】
運転状態判定装置ではこのような処理を繰り返し実行する。また、運転状態判定装置は、停止状態であると判定し（ステップｓ１３）、その際にアプリケーション・プログラムを終了することによって、処理を終了する。
【００５１】
図１３は、図１２で示す自動車１の走行時において、第３判定部で自動車１の速度及び左右の角速度を利用して安全運転又は危険運転と判定した結果を示すグラフである。
【００５２】
また、第３判定部では（ステップＳ６、Ｓ１０）、ＧＰＳ受信器によって取得した位置情報から得た自動車１の速度が速度の閾値１（閾値２）より大きいか否かを判定することに代えて、加速度センサーによって取得した自動車１の進行方向の加速度が直進状態、又は右左折状態における閾値１（閾値２）より大きいか否かを判定することができる。これは、トンネル内等のＧＰＳ受信器が位置情報を取得することができない状況において実行される。
【００５３】
この際も、進行方向の加速度及び左右の角速度のどちらも夫々の閾値１（閾値２）未満であると判定した場合（ステップＳ６、Ｓ１０でＮｏ）、ステップＳ７又はＳ１１に移行し、安全運転であると判定する。また、進行方向の加速度及び左右の角速度の少なくともいずれか一方が夫々の閾値１（閾値２）以上であると判定した場合（ステップＳ６、Ｓ１０でＹｅｓ）、ステップＳ８又はＳ１２に移行し、危険運転であると判定する。
【００５４】
図１４は、図１２で示す自動車１の走行時において、第３判定部で自動車１の加速度及び左右の角速度を利用して安全運転又は危険運転と判定した結果を示すグラフである。
【００５５】
このように、スマートフォン１０のＧＰＳ受信器、角速度センサー、及び加速度センサーを利用し、かつ多機能型携帯電話に第１判定部〜第３判定部を実行するアプリケーション・プログラムをインストールすることによって、運転状態判定装置を容易に構成することができる。この際、自動車１の速度又は加速度を間接的に取得することになるが、精度よく取得することができる。また、自動車１の速度、又は加速度を自動車１が本来備えているセンサーを利用せずに取得することができるため、運転状態判定装置を自動車１とは独立して構成し、後付けすることができる。
【００５６】
また、スマートフォン１０が運転状態判定装置を構成するため、運転者の夫々が独自の閾値を有した運転状態判定装置を携帯することができる。また、特定の自動車に限らず、運転状態判定装置（スマートフォン１０）を携帯した運転者が運転する自動車に設置して運転状態を判定することができる。
【００５７】
実施例の運転状態判定装置は、上述したように、構成及び判定手段が簡潔であり、容易に自動車に備えることができる。
【００５８】
運転支援装置は、運転状態判定装置が危険運転と判定した際（ステップＳ８、Ｓ１２）、スマートフォン１０の発信部から噴霧装置２０の制御部２１に信号が発信される。すると、噴霧装置２０は、一方の貯留部２２Ａに貯留した芳香液を３０秒間隔で数回、ノズル２３から噴霧する。また、芳香液を噴霧した後に運転状態判定装置が危険運転と判定した際には、噴霧装置２０は、他方の貯留部２２Ｂに貯留した芳香液、つまり香りが相違する芳香液を３０秒間隔で数回、ノズル２３から噴霧する。
【００５９】
このように、実施例の運転支援装置も、構成及び判定手段が簡潔であり、容易に自動車１に備えることができる。
【００６０】
本発明は上記記述及び図面によって説明した実施例に限定されるものではなく、例えば次のような実施例も本発明の技術的範囲に含まれる。
（１）実施例では、スマートフォンを利用して運転状態判定装置を構成したが、自動車の速度情報等は自動車が本来備えているセンサーを利用して取得してもよい。つまり、ＧＰＳ受信器によって取得した位置情報から自動車の速度を得るのではなく、自動車の速度計によって速度を直接的に取得してもよい。この場合、運転状態判定装置を自動車に組み込むことができる。
（２）実施例では、スマートフォンを利用したが、ＧＰＳ受信器、角速度センサー、加速度センサー、及び無線通信機能を有していれば、通話機能を有していない携帯型装置であってもよい。
（３）実施例では、第３判定部で角速度及び加速度の組合せで危険運転であるか否かを判定したが、角速度及び速度の組合せのみで危険運転であるか否かを判定してもよい。
（４）実施例では、ＧＰＳ受信器、角速度センサー、加速度センサー、及び無線通信機能を有するスマートフォンを利用したが、加速度センサーを有しなくてもよい。
（５）実施例では、各閾値を更新することができたが、各閾値は固定値であってもよい。
（６）実施例では、芳香液を貯留する２つの貯留部を有していたが、１つ、又は３つ以上の貯留部を有していてもよい。
（７）実施例では、断続的にノズルから芳香液を噴霧したが、自動車内に香りが充満する程度、継続してノズルから芳香液を噴霧してもよい。
（８）実施例では、噴霧装置は貯留部やエアーコンプレッサーを備えていたが、噴霧装置は、ボンベ内に加圧用の圧縮ガスと一緒に芳香液を貯留し、ボンベ噴出口を開閉することで芳香液を噴霧することができるボンベと、スマートフォンからの信号を受けてボンベ噴出口を開閉する開閉機構とを備えたものでもよい。
【符号の説明】
【００６１】
１…自動車
１０…スマートフォン（多機能型携帯電話）
２０…噴霧装置
２２Ａ、２２Ｂ…貯留部
２３…ノズル
【図１】
2014021783.tif 000008
【図１１】
2014021783.tif 000009
【図２】
2014021783.tif 000010
【図３】
2014021783.tif 000011
【図４】
2014021783.tif 000012
【図５】
2014021783.tif 000013
【図６】
2014021783.tif 000014
【図７】
2014021783.tif 000015
【図８】
2014021783.tif 000016
【図９】
2014021783.tif 000017
【図１０】
2014021783.tif 000018
【図１２】
2014021783.tif 000019
【図１３】
2014021783.tif 000020
【図１４】
2014021783.tif 000021